(57)【特許請求の範囲】
【請求項１】
芯を押圧把持し、かつ芯と一体となって移動し、前側への移動に伴って周囲の締めリングによる締め付けから解放された段階にて、芯に対する前記押圧把持を解放する芯咬止チャック、該芯咬止チャックに対しノックによる前方への移動を伝達し、かつスプリングによる後方への移動を伝達するチャックパイプを具備しているノック式シャープペンシルにおいて、前側に位置している口金若しくは外側筒状部の内表面、又は内側筒状部の内の外側筒状部との接続部から前側に突出している部分の外表面の何れかに螺合することによって、前後方向に移動可能であり、かつ締めリングの先端部と当接することができる内側ネジ筒を設け、かつ該内側ネジ筒は、その外側周囲に回転鍔を有しており、該回転鍔の外側周囲部分が、口金又は外側筒状部に設けた単数又は複数の隙間を介してユーザーの手指によって接触可能であることに基づく改良型ノック式シャープペンシル。
【請求項２】
回転鍔と内側筒状部の前側壁部との間に、圧縮バネを介在させていることを特徴とする請求項１記載の改良型ノック式シャープペンシル。
【発明の詳細な説明】
【０００１】
【発明の属する技術分野】
本願は所謂ノック式シャープペンシルの改良に関するものである。
【０００２】
【従来の技術】
図４に示すように、ノック式シャープペンシルにおいては、芯１を押圧把持し、かつ芯１と一体となって移動し、前側における移動に伴って周囲の締めリング３による押圧から解放された段階にて、芯１に対する前記押圧把持を解放する芯咬止チャック２、該芯咬止チャック２に対しノック７からの前方への移動を選択し、かつスプリングによる後方への移動を伝達するチャックパイプ２１を具備しており、これによって前方の移動は、ノック７→チャックパイプ２１→芯咬止チャック２→芯１と伝達され、他方、芯咬止チャック２、チャックパイプ２１、ノック７の後方への移動は、シャープペンシル本体内に設けられたスプリングによって実現されている。
【０００３】
そして、芯１の先端における位置、即ちガイドパイプ９からの突出長さを適当に設定するためには、一方では芯１の先端に指を押し当て、他方では前記ノック７を前方向に押すことによって、芯咬止チャック２を締めリング３の周囲からの押圧から解放し、更には、芯１に対する該チャックの締め付けを解放することによって、一方の指先による保持の位置に先端の芯１を留めることが行われている。
【０００４】
しかしながら、従来技術の構成では、図４に示すように、締めリング３が芯咬止チャック２と共に移動し得る先端及び後端はそれぞれ口金８の段差部分及び内側筒状部５の先端部分によって確定しており、該前後方向間隔は固定された状態にある。
【０００５】
このように、締めリング３が移動し得る前後方向間隔が確定している場合にはノック７によって前進する芯１の距離も固定されており、ユーザーにおいては、前記のように指先によって芯１を留めなければ、先端のガイドパイプ９から突出し得る芯１の程度を微調整することができないという点において不都合である。
【０００６】
上記のような従来技術の不都合を克服するため、出願人は既に内側筒状部５と外側筒状部６とを螺合状態とし、外側筒状部６を回転させることによって内側筒状部５を前後方向に移動させることによって、当該前後方向の間隔を調整する構成を発明し、当該構成につき、平成８年特許願第３５９４９３号において特許出願を行っている。
但し、前記平成８年特許願第３５９４９３号による構成の場合には、外側筒状部６を回転自在とするために、複雑な構成を採用せざるを得ず、しかも製造上煩雑であると共に、製造コストが高価とならざるを得ない。
【０００７】
【発明が解決しようとする課題】
本発明は、このような従来技術の欠点を克服し、簡単な構成でありながら締めリングが移動し得る前後方向の間隔を調整自在とし、ひいては１ノック当たりの芯がガイドパイプの先端から突出し得る距離を調整自在とし得る構成を提供することを課題とするものである。
【０００８】
【課題を解決するための手段】
前記課題を解決するため、本発明の構成は、芯を押圧把持し、かつ芯と一体となって移動し、前側への移動に伴って周囲の締めリングによる締め付けから解放された段階にて、芯に対する前記押圧把持を解放する芯咬止チャック、該芯咬止チャックに対しノックによる前方への移動を伝達し、かつスプリングによる後方への移動を伝達するチャックパイプを具備しているノック式シャープペンシルにおいて、前側に位置している口金若しくは外側筒状部の内表面、又は内側筒状部の内の外側筒状部との接続部から前側に突出している部分の外表面の何れかに螺合することによって、前後方向に移動可能であり、かつ締めリングの先端部と当接することができる内側ネジ筒を設け、かつ該内側ネジ筒は、その外側周囲に回転鍔を有しており、該回転鍔の外側周囲部分が、口金又は外側筒状部に設けた単数又は複数の隙間を介してユーザーの手指によって接触可能であることに基づく改良型ノック式シャープペンシルからなる。
【０００９】
【発明の実施の形態】
図１、２、３はそれぞれ発明の典型的な実施形態を示すが、本発明は、口金８、若しくは外側筒状部６の内表面、又は内側筒状部５の内、外側筒状部６との接続部分から前側に突出した部分の外側表面と螺合することによって、前後方向に移動可能である内側ネジ筒４を設けている。
尚、図１は、内側ネジ筒４が口金８の内表面と螺合した実施形態を示しており、図２は、内側ネジ筒４が外側筒状部６の内表面と螺合した実施形態を示しており、図３は、内側ネジ筒４が内側筒状部５の前記突出部分の外表面に螺合した実施形態を示している。
【００１０】
内側ネジ筒４は、前後方向に移動可能な状態にて締めリング３の先端と当接することを要件としているが、当該当接によって締めリング３の先端の位置を調整し、ひいては芯１がガイドパイプ９の先端から突出する位置する距離を調整することができる。
【００１１】
図１に示す実施形態においては、内側ネジ筒４の後方端によって前記当接を実現しており、図２、３の実施形態の場合には、特に内側突出部４２によって前記距離の調整を実現している。
【００１２】
図１の実施形態と図２、図３の実施形態との対比からも明らかなように、内側ネジ筒４において締めリング３の先端と当接する部位は、内側ネジ筒４の中心軸からの距離及び前後方向の位置などに基づいて随時設計すればよく、図１、２、３の実施形態に特に限定される訳ではない。
【００１３】
内側ネジ筒４が前記のような螺合によって前後方向に移動するには、ユーザーが手指によって内側ネジ筒４を回転させることが必要であり、このために本発明においては、内側ネジ筒４がその外側周囲位置に回転鍔４１を有しており、該回転鍔４１は口金８、又は外側筒状部６に設けた１個又は複数個の隙間１１を介して手指によって接触可能な状態に設計されている。
【００１４】
図１、２、３の各実施形態の何れにおいても、隙間１１を設ける部位として口金８又は当該筒状部の何れをも選択することが可能であり、例えば図１のように、内側ネジ筒４が口金８の内側表面と螺合していることにおいて、隙間１１を口金８に設けなければならない必然性は存在せず、外側筒状部６に設けることは十分可能である。
【００１５】
以上のような実施形態からも明らかなように、本発明においては、ユーザーが回転鍔４１を手指の接触によって回転させることによって内側ネジを前後方向に移動させ、締めリング３が内側ネジ筒４との当接によって前進を阻止される位置を調整し、当該調節によって締めリング３の先端の位置を調整し、ひいては芯１がガイドパイプ９の先端から突出する距離を調整することが可能となる。
【００１６】
【実施例】
図１、２、３の何れにおいても、内側ネジ筒４は他の部分と螺合しているが、螺合し合っているネジの相互間における僅かな隙間によって内側ネジ筒４が使用中微動（ガタツキ）を行う場合があり、このような微動は使用者にとって極めて不快であると共に、締めリング３が前進した場合の先端の位置を調整するうえで微少な誤差を生ずる原因となる場合がある。
【００１７】
実施例においては、図１、２、３に示すように、内側ネジ筒４と内側筒状部５との間に圧縮バネ１２を介在させ、上記のような隙間１１による微動を防止している。
【００１８】
即ち、前記圧縮バネ１２の介在によって、ユーザーは、安定した状態にて内側ねじ筒４の螺合による前後方向の移動を実現し、かつ前記のような誤差の発生を防止することができる。
【００１９】
【発明の効果】
以上による本発明においては、図１、２、３に示すような比較的簡単な構成によって締めリングが前進した場合の先端の位置を調整し、ひいては、芯のガイドパイプの先端から突出する距離を自在に調整することができる。
【００２０】
しかも、上記のような比較的簡単な構成であることによって、前記平成８年特許願第３５９４９３号に係る発明の場合よりも、製造コストも安価である。
【００２１】
このように、本発明は様々な長所を有しており、その価値は絶大である。
【図面の簡単な説明】
【図１】本発明の実施態様を示す側断面図であり、内側ネジ筒が口金の内側面と螺合している実施形態を示す。
【図２】本発明の実施態様を示す側断面図であり、内側ネジ筒が外側筒状部の内側面と螺合している実施形態を示す。
【図３】本発明の実施態様を示す側断面図であり、内側ネジ筒が内側筒状部の内外側筒状部と接合している部分から前側に突出している部分の外側表面と螺合している実施形態を示す。
【図４】従来技術の構成を示す側断面図。
【符号の説明】
１  芯
２  芯咬止チャック
２１  チャックパイプ
３  締めリング
４  内側ネジ筒
４１  回転鍔
４２  内側突出部
５  内側筒状部
６  外側筒状部
７  ノック
８  口金
９  ガイドパイプ
１０  ゴムパッキング
１１  隙間
１２  圧縮バネ
【図１】
0003877629.tif 000002
【図２】
0003877629.tif 000003
【図３】
0003877629.tif 000004
【図４】
0003877629.tif 000005